(57)【要約】【課題】  建物検査における寸法検査の管理をより効率的に行うことができる建物検査支援装置を提供する。【解決手段】  建物の図面に関する図面情報を記憶する図面マスタＤＢ４１と、図面情報記憶手段に記憶された建物の図面情報を表示する表示部７と、を備える携帯可能な建物検査支援装置１であって、表示部７により表示された建物の図面上で、建物の寸法検査箇所に関する寸法検査箇所情報、並びに、寸法検査箇所情報入力手段により入力された寸法検査箇所についての設計寸法値及びその誤差許容範囲を含む設計寸法情報と、実寸法値とを入力するための入力部５を備え、ＣＰＵ２によって、入力部５により入力された設計寸法値と実寸法値との誤差を算出し、当該誤差が前記誤差許容範囲内にあるか否かを判定し、判定手段による判定結果を表示部７に表示させる。【選択図】    図１
2005273311.tif 000002
【特許請求の範囲】
【請求項１】
建物の図面に関する図面情報を記憶する図面情報記憶手段と、前記図面情報記憶手段に記憶された建物の図面情報を表示する表示手段と、を備える携帯可能な建物検査支援装置であって、
前記表示手段により表示された建物の図面上で、建物の寸法検査箇所に関する寸法検査箇所情報を入力するための寸法検査箇所情報入力手段と、
前記寸法検査箇所情報入力手段により入力された寸法検査箇所についての設計寸法値及びその誤差許容範囲を含む設計寸法情報と、実寸法値とを入力するための寸法情報入力手段と、
前記寸法情報入力手段により入力された設計寸法値と実寸法値との誤差を算出し、当該誤差が前記誤差許容範囲内にあるか否かを判定する判定手段と、
前記判定手段による判定結果を前記表示手段に表示させる表示制御手段と、
を備えることを特徴とする建物検査支援装置。
【請求項２】
建物の図面に関する図面情報を記憶する図面情報記憶手段と、前記図面情報記憶手段に記憶された建物の図面情報を表示する表示手段と、を備える携帯可能な建物検査支援装置であって、
前記図面情報は、建物の寸法検査箇所に関する寸法検査箇所情報を含み、
前記寸法検査箇所についての設計寸法値及びその誤差許容範囲を含む設計寸法情報を記憶する設計寸法情報記憶手段と、
前記寸法検査箇所についての実寸法値を入力するための実寸法値入力手段と、
前記設計寸法情報記憶手段に記憶されている設計寸法値と、前記実寸法値入力手段によって入力された実寸法値との誤差を算出し、当該誤差が前記誤差許容範囲内にあるか否かを判定する判定手段と、
前記判定手段による判定結果を前記表示手段に表示させる表示制御手段と、
を備えることを特徴とする建物検査支援装置。
【請求項３】
前記寸法検査箇所情報は、検査箇所番号が付された寸法線を含み、
前記表示制御手段は、
前記実寸法値入力手段により実寸法値が入力される実寸法値入力欄を、前記検査箇所番号と対応付けて前記表示手段に表示させることを特徴とする請求項２記載の建物検査支援装置。
【請求項４】
建物の図面に関する図面情報を記憶する図面情報記憶手段と、前記図面情報記憶手段に記憶された建物の図面情報を表示する表示手段と、前記表示手段により表示された建物の図面上で、建物の寸法検査箇所を入力するための寸法検査箇所入力手段と、前記寸法検査箇所についての設計寸法値及びその誤差許容範囲を含む設計寸法情報と、実寸法値とを入力するための寸法情報入力手段と、を備えるコンピュータを、
前記寸法情報入力手段により入力された設計寸法値と、実寸法値との誤差を算出し、当該誤差が前記誤差許容範囲内にあるか否かを判定する判定手段、
前記判定手段による判定結果を前記表示手段に表示させる表示制御手段、
として機能させるためのプログラム。
【発明の詳細な説明】
【技術分野】
【０００１】
本発明は、建物検査支援装置及びプログラムに関する。
【背景技術】
【０００２】
従来、マンション等の建物の検査において、例えば、居住部の各室内における内法寸法等の寸法検査をする場合には、検査者が寸法検査チェックシートを携帯し、各居住部を巡回して寸法値等の寸法情報を計測し、部屋名、各部位の寸法検査箇所、寸法情報等をチェックシートに手書きで記入していた。
【０００３】
また、パーソナルコンピュータ等の端末装置において、寸法情報等を入力する方法も知られている（例えば、特許文献１）。
具体的には、例えば、検査者が検査対象とする工事物の設計値、実測値等を入力すると、設計値に対する誤差が算出されて画面上に表示される。そして、その誤差が予め定められている規格値の範囲内にあるか否かを検査者が確認することによって、検査対象の工事物について製品としての合否判定ができるようになっている。
【特許文献１】特開平１０−１４０８３０号広報
【発明の開示】
【発明が解決しようとする課題】
【０００４】
しかしながら、上記特許文献１記載の端末装置は、ある一つの工事物（例えば、ブロック積工）についての寸法検査を行うことができるが、予め設定された所定の箇所についてのみ検査を行うものであり、設定されていない箇所についての寸法検査を行うことができないという問題点があった。
また、検査箇所の最終的な合否判定は検査者により行われるので、検査箇所が多い場合には、合否判定を迅速に行うことができず、検査作業が煩雑になるという問題点もあった。
【０００５】
そこで、本発明の課題は、建物検査における寸法検査の管理をより効率的に行うことができる建物検査支援装置及びプログラムを提供することである。
【課題を解決するための手段】
【０００６】
以上の課題を解決するための手段として、請求項１記載の発明は、例えば、図１に示すように、建物の図面に関する図面情報を記憶する図面情報記憶手段（例えば、図面マスタＤＢ４１）と、前記図面情報記憶手段に記憶された建物の図面情報を表示する表示手段（例えば、表示部７）と、を備える携帯可能な建物検査支援装置（１）であって、
前記表示手段により表示された建物の図面上で、建物の寸法検査箇所に関する寸法検査箇所情報を入力するための寸法検査箇所情報入力手段（例えば、入力部５）と、
前記寸法検査箇所情報入力手段により入力された寸法検査箇所についての設計寸法値及びその誤差許容範囲を含む設計寸法情報と、実寸法値とを入力するための寸法情報入力手段（例えば、入力部５）と、
前記寸法情報入力手段により入力された設計寸法値と実寸法値との誤差を算出し、当該誤差が前記誤差許容範囲内にあるか否かを判定する判定手段（例えば、ＣＰＵ２、判定プログラム４５１）と、
前記判定手段による判定結果を前記表示手段に表示させる表示制御手段（例えば、ＣＰＵ２、表示制御プログラム４５２）と、
を備えることを特徴とする。
【０００７】
請求項２記載の発明は、例えば、図１に示すように、建物の図面に関する図面情報を記憶する図面情報記憶手段と、前記図面情報記憶手段に記憶された建物の図面情報を表示する表示手段と、を備える携帯可能な建物検査支援装置（１）であって、
前記図面情報は、建物の寸法検査箇所に関する寸法検査箇所情報を含み、
前記寸法検査箇所についての設計寸法値及びその誤差許容範囲を含む設計寸法情報を記憶する設計寸法情報記憶手段（例えば、設計寸法情報マスタＤＢ４３）と、
前記寸法検査箇所についての実寸法値を入力するための実寸法値入力手段（例えば、入力部５）と、
前記設計寸法情報記憶手段に記憶されている設計寸法値と、前記実寸法値入力手段によって入力された実寸法値との誤差を算出し、当該誤差が前記誤差許容範囲内にあるか否かを判定する判定手段（例えば、ＣＰＵ２、判定プログラム４５１）と、
前記判定手段による判定結果を前記表示手段に表示させる表示制御手段（例えば、ＣＰＵ２、表示制御プログラム４５２）と、
を備えることを特徴とする。
【０００８】
請求項３記載の発明は、例えば、図５に示すように、請求項２記載の建物検査支援装置であって、
前記寸法検査箇所情報は、検査箇所番号（１２２）が付された寸法線（１２１）を含み、
前記表示制御手段は、
前記実寸法値入力手段により実寸法値が入力される実寸法値入力欄を、前記検査箇所番号と対応付けて前記表示手段に表示させることを特徴とする。
【０００９】
請求項４記載の発明は、プログラムであって、
建物の図面に関する図面情報を記憶する図面情報記憶手段と、前記図面情報記憶手段に記憶された建物の図面情報を表示する表示手段と、前記表示手段により表示された建物の図面上で、建物の寸法検査箇所を入力するための寸法検査箇所入力手段と、前記寸法検査箇所についての設計寸法値及びその誤差許容範囲を含む設計寸法情報と、実寸法値とを入力するための寸法情報入力手段と、を備えるコンピュータを、
前記寸法情報入力手段により入力された設計寸法値と、実寸法値との誤差を算出し、当該誤差が前記誤差許容範囲内にあるか否かを判定する判定手段、
前記判定手段による判定結果を前記表示手段に表示させる表示制御手段、
として機能させることを特徴とする。
【発明の効果】
【００１０】
請求項１、４記載の発明によれば、工事現場において所望の寸法検査箇所とその実寸法
値とをその場で入力でき、その後に当該寸法検査箇所の設計寸法情報を入力することによって合否判定を表示させるので、現場の状況に応じて寸法検査箇所を柔軟に追加できることとなって、寸法検査の管理をより効率的に行うことができる。
【００１１】
請求項２記載の発明によれば、建物の寸法検査において、寸法検査箇所の実寸法値を測定し入力するだけで、当該寸法検査箇所の合否判定が自動的に行われる。従って、煩雑な作業をすることなく迅速に寸法検査を行うことができることとなって、寸法検査の管理をより効率的に行うことができる。
【００１２】
請求項３記載の発明によれば、寸法検査箇所は、検査箇所番号が付された寸法線で示され、実寸法値を入力する実寸法値入力欄と検査箇所番号とが対応付けられて表示される。従って、実寸法値を測定すべき現場の検査箇所と、画面上における実寸法値の入力位置とが視覚的に把握できることとなって、実寸法値の入力作業をより容易に行うことができる。
【発明を実施するための最良の形態】
【００１３】
以下、図面を参照して本発明にかかる建物検査支援装置について詳細に説明する。本実施の形態における建物検査支援装置１は、例えば、マンション等の建物の検査業務を支援するものであり、タブレットＰＣやＰＤＡ等の検査者が携帯可能な携帯端末等により構成される。
図１に示すように、建物検査支援装置１は、ＣＰＵ２(Central  Processing  Unit)、ＲＡＭ３(Random  Access  Memory)、記憶部４、入力部５、音声入力部６、表示部７、計時部８、外部機器と接続するためのインターフェイス（Ｉ／Ｆ）９などを備え、これらはバスＢを介して接続されている。
【００１４】
記憶部４は、プログラムやデータなどが予め記憶された記録媒体４ａを有している。記録媒体４ａは、例えば、磁気的記録媒体、光学的記録媒体、半導体メモリなどで構成されている。記録媒体４ａは、記憶部４に対して、固定的に、或いは着脱自在に設けられている。
【００１５】
記録媒体４ａには、図面マスタデータベース（図面マスタＤＢ）４１、寸法検査箇所情報マスタデータベース（寸法検査箇所情報マスタＤＢ）４２、設計寸法情報マスタデータベース（設計寸法情報マスタＤＢ）４３等が記憶されている。
また、記録媒体４ａには、建物検査支援処理に使用される各種アプリケーションプログラムなどが記憶されるプログラム格納領域４４、各種アプリケーションプログラムの実行結果などが記憶される結果データ格納領域４６などが設けられている。
【００１６】
なお、記録媒体４ａに記憶されるプログラム、データなどは、その一部または全部が、他の外部装置などから、Ｉ／Ｆ９などを介して取得して、記録媒体４ａに記録されるものとしても良い。
【００１７】
図面マスタＤＢ４１には、例えば、マンションの各部屋番号別（居住部）の平面図データが図面に関する図面情報として記憶されている。
この平面図データは、居住部の各室内（例えば、洋室、和室、キッチン等）を示す図面データと、寸法検査を行う寸法検査箇所を示す寸法線データ等から構成されており、さらに、寸法線データは、寸法検査番号と対応付けられて記憶されている。
そして、平面図データが抽出され、表示部７に平面図１２０（図５参照、詳細は後述）が表示されるときには、平面図１２０上に居住部を示す図面と、寸法線１２１及び検査箇所番号１２２とが表示される。このとき、検査箇所番号１２２は、寸法線１２１近傍に表示されるようになっている。即ち、図面情報は、各居住部を示す平面図１２０と、平面図１２０上の寸法線１２１及び検査箇所番号１２２とを備えている。
このように、図面マスタＤＢ４１は、図面情報記憶手段として機能する。
なお、この図面データは、設計時におけるＣＡＤデータでもよいし、図面をスキャナ（図示所略）等により取り込んだＢＭＰ形式やＪＰＥＧ形式、ＧＩＦ形式の画像データでもよい。
【００１８】
寸法検査箇所情報マスタＤＢ４２には、例えば、図２に示すように、図面マスタＤＢ４１に記憶されている検査箇所番号１２２が示す寸法検査箇所について、室名データ、部位データ、寸法タイプデータとがそれぞれ対応付けられて記憶されている。
室名データとしては、例えば、洋室１、洋室２、トイレ、キッチン、リビングダイニング、和室等が記憶されている。また、部位データとしては、例えば、壁、天井、梁等が記憶されている。また、寸法タイプデータとしては、例えば、内法寸法、高さ寸法等が記憶されている。
具体的には、例えば、検査箇所番号「１」１２２１は、「洋室２」の「壁」における「内法寸法」を示す。
なお、検査箇所は図２に示す２箇所に限定されるものではなく、例えば、マンション等の建物ごと、或いは各階ごとに適宜設定可能なものとする。
【００１９】
設計寸法情報マスタＤＢ４３には、例えば、図３に示すように、設計寸法値が検査箇所番号１２２と対応付けられて記憶されている。また、設計寸法値には、それぞれ誤差許容範囲が対応付けられて記憶されており、寸法検査箇所の合否判定の基準となる。即ち、設計寸法値と実寸法値との誤差が誤差許容範囲内である場合には、合格と判定され、誤差許容範囲外である場合には、不合格と判定される。具体的には、例えば、検査箇所番号「１」１２２１の設計寸法値は「２９３０ｍｍ」であり、その誤差許容範囲は「１０ｍｍ」と記憶されている。
このように、設計寸法情報マスタＤＢ４３は、設計寸法情報記憶手段として機能し、設計寸法情報には、誤差許容範囲に関するデータも含まれるものとする。
【００２０】
プログラム格納領域４４には、ＣＰＵ２での各種動作を行うためのシステムプログラム、アプリケーションプログラムが記憶されている。具体的には、判定プログラム４５１、表示制御プログラム４５２等が記憶されている。
【００２１】
ＣＰＵ２は、記憶部４に格納されている各種アプリケーションプログラムやシステムプログラムなどをＲＡＭ３に格納して、各種指示信号や入力データなどに応じて、ＲＡＭ３内に格納したアプリケーションプログラムに従って、各種処理を実行する。また、ＣＰＵ２は、処理結果を一時的にＲＡＭ３に格納するとともに、表示部７に表示する制御を行う。また、ＣＰＵ２は、処理結果情報を記憶部４の結果データ格納領域４６に記憶させる制御も行う。
【００２２】
具体的には、ＣＰＵ２は、判定プログラム４５１を実行することにより、設計寸法情報マスタＤＢ４３に記憶されている設計寸法値と、入力された実寸法値との誤差を算出し、当該誤差が誤差許容範囲内にあるか否かを判定する判定手段として機能する。
さらに、判定プログラム４５１を実行することにより、新たに入力された寸法検査箇所についての設計寸法値と実寸法値との誤差を算出し、当該誤差が誤差許容範囲内にあるか否かを判定する。
【００２３】
また、ＣＰＵ２は、表示制御プログラム４５２を実行することにより、寸法検査箇所の合否判定の判定結果を表示部７に表示させる表示制御手段として機能する。
さらに、ＣＰＵ２は、表示制御プログラム４５２を実行することにより、入力部５により実寸法値が入力される実寸法値入力欄１３１（図５参照）と、図面マスタＤＢ４１に記憶されている図面情報に含まれる検査箇所番号１２２とを対応付けて表示部７に表示させる。
【００２４】
ＲＡＭ３は、記憶部４に格納されたプログラムをＣＰＵ２が実行する際に、各種プログラムやデータを格納する格納領域を形成する。また、ＣＰＵ２による処理を実行するための作業領域や、ＣＰＵ２の処理に係わるデータが一時的に記憶される記憶領域などを形成する。
【００２５】
入力部５は、寸法検査箇所情報入力手段、寸法情報入力手段、実寸法値入力手段として機能し、例えば、キー群５ａ、タッチペン５ｂおよびタブレット５ｃを含んで構成される。
【００２６】
キー群５ａは、カーソルキー、数字キー、機能キー等の各種キーを備え、ユーザにより操作されたキーに対応する操作信号をＣＰＵ２に出力する。
【００２７】
タブレット５ｃは、表示部７と一体に構成され、抵抗膜式、光学式、静電容量式等の各種座標読み取り原理により、ユーザがタッチペン５ｂで表示部７をタッチした座標位置を検出し、その座標位置に応じた入力信号をＣＰＵ２に出力する。
【００２８】
具体的には、表示部７に表示されたメニューバー、アイコン等をタッチペン５ｂでタッチすることにより、タッチされたメニュー項目またはアイコンに応じた操作を行うことができる。
【００２９】
音声入力部６は、図示しないマイク、音声認識部等によって構成され、マイクから入力されるユーザの音声信号を音声認識部にて音声認識してテキストデータに変換し、変換したテキストデータを音声入力情報としてＣＰＵ２に出力する。
【００３０】
表示部７は、表示手段として機能し、例えば、ＬＣＤ（Liquid  Crystal  Display）などにより構成されている。ＣＰＵ２の表示制御に従い、各種データを入力する入力画面などを表示画面上に表示できる。
【００３１】
計時部８は、時刻や日付を計時し、計時された時間データ等は、ＣＰＵ２を介してＲＡＭ３に送られて順次更新セットされる。例えば、所定周波数のクロック信号を発振する発振回路（図示省略）と、該発振回路からの信号を分周して所定周波数の信号を得る分周回路（図示省略）と、一秒単位の計時データに変換するための時刻用カウンタ（図示省略）等を備える。
【００３２】
Ｉ／Ｆ９は、この建物検査支援装置１と外部機器（図示省略）間で各種指示信号や位置情報等を入出力するためのインターフェイスであり、例えば、ＵＳＢ（Universal  Serial  Bus）ポートやＲＳ−２３２Ｃ端子をはじめとするシリアル入出力端子、パラレル入出力端子、ＳＣＳＩインターフェイス、ＩｒＤＡ（Infrared  Data  Association）規格に準じた赤外線通信装置等が備えられ、有線または無線通信手段により外部機器と接続することが可能である。
そして、記憶部４に記憶されている図面マスタＤＢ４１、寸法検査箇所情報マスタＤＢ４２、設計寸法情報マスタＤＢ４３、の各データを、Ｉ／Ｆ９を介して、例えば、別の施工管理システムに記憶されているデータから取得するようにしてもよい。
【００３３】
次に、建物検査支援装置１による寸法検査支援処理について、図面を参照して詳細に説明する。この寸法検査支援処理は、例えば、工事現場で行う「現場作業処理」と、事務所で行う「事務所作業処理」とに分けられる。
ここでは、建物検査支援装置１による現場作業処理について、図４を参照して詳細に説明する。なお、建物はマンションであり、各部屋番号（居住部）の各室内ごとの寸法検査を行うものとする。
【００３４】
図４に示すように、表示部７に表示された処理選択表示画面（図示省略）にて「現場作業」がタッチペン５ｂにより入力される（ステップＳ１０１）と、ＣＰＵ２は、表示部７に、例えば、図５に示す実寸法値入力画面Ｇ１００を表示させるとともに、画面内に部屋番号選択欄１１０を表示させる（ステップＳ１０２）。そして、部屋番号選択欄１１０に表示された部屋番号一覧から、ユーザがタッチペン５ｂで選択することにより部屋番号選択指示がＣＰＵ２に入力され、ＣＰＵ２は、選択された部屋番号データをＲＡＭ３に一時的に記憶する（ステップＳ１０３）。具体的には、例えば、「２０３」を選択するものとする。
【００３５】
次いで、ＣＰＵ２は、入力された部屋番号選択指示に基づいて、「２０３」に該当する平面図データを図面マスタＤＢ４１から抽出して、例えば、図５に示すように、「２０３」の平面図１２０を表示させるとともに、寸法検査箇所データを寸法検査箇所情報マスタＤＢ４２から抽出して、「２０３」の各検査箇所における寸法検査箇所一覧１３０を表示させる（ステップＳ１０４）。なお、「２０３」の平面図１２０と、「２０３」の寸法検査箇所一覧１３０とは、例えば、図５に示すように、同時に目視できるように重ねて表示される。
【００３６】
この平面図１２０には、複数の寸法線１２１・・・と、その寸法線１２１に付されている寸法検査番号１２２とが表示されている。また、寸法検査番号１２２は、寸法検査箇所一覧１３０に表示されている寸法検査番号１２２と同一の番号であり、その番号が示す寸法検査箇所の実寸法値を入力するための実寸法値入力欄１３１と対応付けられて表示される。
即ち、ユーザは、「２０３」の平面図１２０に表示されている寸法線１２１及び検査箇所番号１２２と、「２０３」の寸法検査箇所一覧１３０に表示されている検査箇所番号１２２とを照合しながら、それぞれの検査箇所番号１２２に対応する箇所の実寸法値を順次測定していくこととなる。
【００３７】
ここで、寸法線１２１は、例えば、図５に示すように、各居住部の各室内ごとに平面図１２０に表示されている。具体的には、例えば、直線は内法寸法を示し、引出し線は高さ寸法を示す。
【００３８】
次いで、ＣＰＵ２は、ユーザが実寸法値入力欄１３１の押下による押下信号を入力したと判断した場合（ステップＳ１０５；Ｙｅｓ）には、数値入力欄１４０を表示させ（ステップＳ１０６）、ユーザのタッチペン５ｂの操作により実寸法値が入力され、ＣＰＵ２は、入力された実寸法値をＲＡＭ３に一時的に記憶する（ステップＳ１０７）。具体的には、例えば、検査箇所番号「１」１２２１の実寸法値が「２９３０ｍｍ」と入力され、検査箇所番号「２」１２２２の実寸法値が「４４０５ｍｍ」と入力され、それぞれの実寸法値入力欄１３１に表示される。
【００３９】
次いで、ＣＰＵ２は、設計寸法情報マスタＤＢ４３に記憶されている設計寸法値と、入力された実寸法値とに基づいて、その誤差を算出し（ステップＳ１０８）、誤差表示欄１３２に算出した誤差を表示させる。
次いで、ＣＰＵ２は、算出した誤差が設計寸法情報マスタＤＢ４３に記憶されている誤差許容範囲内にあるか否かを判定し（ステップＳ１０９）、誤差が誤差許容範囲内にあると判断した場合（ステップＳ１０９；Ｙｅｓ）には、判定表示欄１３３に合格を示す「合」の文字を表示させるとともに、これらの算出結果をＲＡＭ３に一時的に記憶する（ステップＳ１１０）。
一方、ＣＰＵ２は、算出した誤差が誤差許容範囲内にないと判断した場合（ステップＳ１０９；Ｎｏ）には、判定表示欄１３３に不合格を示す「否」の文字を表示させるとともに、これらの結果をＲＡＭ３に一時的に記憶する（ステップＳ１１１）
【００４０】
具体的には、例えば、図３に示す設計寸法情報マスタＤＢ４３に記憶されている検査箇所番号「１」１２２１の設計寸法値「２９３０ｍｍ」及び実寸法値「２９３０ｍｍ」から、誤差が「０ｍｍ」と算出され、次いで、誤差「０ｍｍ」が、検査箇所番号「１」１２２１の誤差許容範囲「１０ｍｍ」の範囲内であると判断され、判定表示欄１３３に「合」と表示される。
また、例えば、検査箇所番号「２」１２２２の設計寸法値「４３８０ｍｍ」及び実寸法値「４４０５ｍｍ」から、誤差が「２５ｍｍ」と算出され、次いで、誤差「２５ｍｍ」が、検査箇所番号「２」１２２２の誤差許容範囲「２０ｍｍ」の範囲外であると判断され、判定表示欄１３３に「否」と表示される。
【００４１】
次いで、ＣＰＵ２は、「データ保存」のメッセージを表示部７に表示させ、ユーザによるデータ保存信号の入力があったと判断した場合（ステップＳ１１２；Ｙｅｓ）には、ＣＰＵ２は、ＲＡＭ３に一時的に記憶されている実寸法値データ、誤差データ、判定結果データ等を入力データとして記憶部４の結果データ格納領域４６に保存して（ステップＳ１１３）、本処理を終了する。
【００４２】
次に、現場における寸法検査箇所の入力処理について、図６を参照して詳細に説明する。この入力処理は、寸法検査の現場において、図面マスタＤＢ４１に記憶されていない寸法検査箇所について寸法検査を行いたい場合のための処理である。
なお、図６において、ステップＳ２０１〜ステップＳ２０３は、図４に示すステップＳ１０１〜ステップＳ１０３と同様であるので、詳細な説明を省略する。ここでは、部屋番号「１０３」が選択されたものとする。
【００４３】
ここで、ＣＰＵ２は、図５の実寸法値入力画面Ｇ１００に表示されている平面図が「２０３」の代わりに「１０３」である場合であって、この「１０３」の平面図の拡大指示信号の入力があったと判断した場合には、 図７に示す寸法検査箇所入力画面Ｇ２００を表示させる（ステップＳ２０４）。
【００４４】
次いで、ＣＰＵ２は、寸法線入力ボタンＡの押下に基づく寸法線入力指示の入力があったと判断した場合（ステップＳ２０５；Ｙｅｓ）には、ユーザによって平面図２１０上の２点がタッチペン５ｂによりタッチされると、当該２点を線で結んだ寸法線２２０を生成し表示させるとともに、生成した寸法線２２０の近傍に検査箇所番号２２１（例えば、「３３」）を付し、ＲＡＭ３に一時的に記憶する（ステップＳ２０６）。このとき、ＣＰＵ２は、新たに生成した寸法線２２０及び検査箇所番号２２１を、既に表示されている他の寸法線及び検査箇所番号と異なる色で表示させるとともに、新たな検査箇所番号２２１に括弧を付けて表示させる。なお、ＣＰＵ２は、新たな検査箇所番号２２１を、検査箇所番号表示欄２３０に表示させる。
次いで、ＣＰＵ２は、生成した寸法線２２０に関わる「室名」、「部位」、「寸法タイプ」を寸法検査箇所表示欄２４０に表示させるとともに、ＲＡＭ３に一時的に記憶する。具体的には、例えば、「１０３−３３」−「玄関」−「壁」−「内法寸法」と表示される。
【００４５】
次いで、ＣＰＵ２は、ユーザによる実寸法値入力チェック欄２３１の押下信号があったと判断した場合、数値入力欄２５０を表示させ、ユーザによるタッチペン５ｂ操作に基づく実寸法値の入力があった場合、寸法検査箇所表示欄２４０内の実寸法値表示欄２４１に入力された実寸法値を表示させるとともに、ＲＡＭ３に一時的に記憶する（ステップＳ２０７）。
ここで、ＣＰＵ２は、「データ保存」のメッセージを表示部７に表示させ、ユーザによるデータ保存信号の入力があったと判断した場合には、ＣＰＵ２は、ＲＡＭ３に一時的に記憶されている寸法線データ、実寸法値データ等を入力データとして記憶部４の結果データ格納領域４６に記憶する。
【００４６】
そして、ステップＳ２０７以降の処理については、ユーザによる事務所内での作業時の処理となる。具体的には、ＣＰＵ２は、処理選択表示画面（図示省略）にて「事務所作業」が入力されると（ステップＳ２０８）、図５に示すような「１０３」の寸法検査箇所一覧１３０を表示させる。このとき表示される「１０３」の寸法検査箇所一覧１３０には、現場で入力した検査箇所番号２２１（例えば、「３３」）と、その実寸法値とが表示される。
次いで、ＣＰＵ２は、ユーザによってステップＳ２０６で入力された検査箇所番号２２１に対応する設計寸法値が入力され、且つ誤差許容範囲入力欄（図示省略）に設計寸法値に対する誤差許容範囲が入力されると、これらの値を画面上に表示させるとともに、ＲＡＭ３に一時的に記憶する。（ステップＳ２０９）
次いで、ＣＰＵ２は、図４に示すステップＳ１０８〜ステップＳ１１０と同様の判定処理を行い、判定結果を表示させる（ステップＳ２１０）。
【００４７】
次いで、ＣＰＵ２は、「データ保存」のメッセージを表示部７に表示させ、ユーザによるデータ保存信号の入力があったと判断した場合（ステップＳ２１１；Ｙｅｓ）には、ＣＰＵ２は、ＲＡＭ３に一時的に記憶されている設計寸法値データ、誤差データ、判定結果データ等を入力データとして記憶部４の結果データ格納領域４６に保存して（ステップＳ２１２）、本処理を終了する。
【００４８】
以上説明した建物検査支援装置１によれば、建物の寸法検査において、寸法検査箇所の実寸法値を測定し入力するだけで、当該寸法検査箇所の合否判定が自動的に行われる。従って、煩雑な作業をすることなく迅速に寸法検査を行うことができることとなって、寸法検査の管理をより効率的に行うことができる。
また、寸法検査箇所は、検査箇所番号１２２（図５参照）が付された寸法線１２１で示されるとともに、検査箇所番号１２２が実寸法値入力欄１３１と対応付けられて表示される。従って、寸法検査箇所と、画面上における実寸法値の入力位置とを視覚的に把握できることとなって、実寸法値の入力作業をより容易に行うことができる。
また、現場において所望の寸法検査箇所とその実寸法値とを表示部７上で入力でき、その後に当該検査箇所の設計寸法情報を入力することによって合否判定を表示させることができるので、現場の状況に応じて、寸法検査箇所を柔軟に追加でき、漏れのない寸法検査が可能となる。
【００４９】
なお、工事現場において、新たな寸法検査箇所を入力した時点で、その箇所の設計寸法値が自動的に表示される構成としてもよい。より具体的には、例えば、図７に示す平面図２１０上で寸法検査箇所がタッチペン５ｂでタッチされた後、タッチされた座標位置を検出し、検出した２点の座標位置から距離を算出し、この距離から実際の設計寸法値を算出して、表示させる。
そして、上記実施の形態と同様に設計寸法値と実寸法値との誤差を算出し、算出した誤差が、予め記憶されている建物の寸法値の誤差許容範囲に関する一般的基準値内にあるか否かを判断することにより、当該寸法検査箇所の合否判定を行う。さらに、寸法検査箇所が特殊な箇所である場合には、ユーザが誤差許容範囲を逐一入力でき、且つ合否判定が可能な構成とすればよい。
このような構成とした場合、ユーザが設計寸法値を全て入力する必要がなくなるので、検査作業をより簡便に行うことができる点で好適である。
【００５０】
また、新たな寸法検査箇所を入力する際に、平面図２１０上で寸法検査箇所が正確に入力されなかった場合であっても、正確な寸法線を生成させるような自動修正機能を備える構成としてもよい。より具体的には、例えば、「洋室１」の一方の壁から他方の壁までを新たな寸法検査箇所とする場合、ユーザは平面図２１０上の当該一方の壁及び他方の壁の２点をタッチペン５ｂでタッチする必要があるが、このとき、壁からやや外れた箇所をタッチしてしまった場合であっても、そのタッチ位置から直近の壁の部分がタッチされたと自動修正し、常に正確な寸法線を生成する構成としてもよい。このような構成は、現場で立って入力作業を行う際などの手元が不安定になる場合に好適である。
【００５１】
また、寸法線は、ユーザによるタッチペン５ｂのドラッグ操作に基づいて生成されるようにしてもよい。
また、合否判定結果の表示態様は、上記実施の形態で示した「合」、「否」等の文字に限定されるものではなく、例えば、「○」、「×」等の記号でもよいし、判定表示欄１３３を所定の色に着色して表示することにより合否を示してもよい。
また、設計寸法値と実寸法値との誤差を＋、−の場合に分けて、誤差許容範囲をそれぞれの場合に応じて設定してもよいし、判定結果についても、「合」、「否」だけでなく、それぞれについて複数の段階に分けて表示する構成としてもよい。
【図面の簡単な説明】
【００５２】
【図１】本発明の実施の形態における建物検査支援装置の要部構成を示すブロック図である。
【図２】寸法検査箇所情報マスタＤＢのデータ内容の一例を示す図である。
【図３】設計寸法情報マスタＤＢのデータ内容の一例を示す図である。
【図４】現場作業における寸法検査箇所の合否判定処理の一例を説明するためのフローチャートである。
【図５】実寸法値入力画面の一例を示す図である。
【図６】寸法検査箇所の入力処理の一例を説明するためのフローチャートである。
【図７】寸法検査箇所入力画面の一例を示す図である。
【符号の説明】
【００５３】
１  建物検査支援装置
２  ＣＰＵ（判定手段、表示制御手段）
５  入力部（寸法検査箇所情報入力手段、寸法情報入力手段、実寸法値入力手段）
７  表示部（表示手段）
４１  図面マスタＤＢ（図面情報記憶手段）
４３  設計寸法情報マスタＤＢ（設計寸法情報記憶手段）
１２１  寸法線
１２２  検査箇所番号
１３１  実寸法値入力欄
２２０  寸法線
２２１  検査箇所番号
４５１  判定プログラム（判定手段）
４５２  表示制御プログラム（表示制御手段）
【図１】
2005273311.tif 000003
【図２】
2005273311.tif 000004
【図３】
2005273311.tif 000005
【図４】
2005273311.tif 000006
【図６】
2005273311.tif 000007
【図５】
2005273311.tif 000008
【図７】
2005273311.tif 000009